(57)【要約】【課題】冷房・暖房寝込み運転時の消費電力量を削減し、火災等の危険を回避することができる空気調和機を提供する。【解決手段】圧縮機３と、前記圧縮機３の吐出管２に取り付けられ冷媒の吐出温度を検知する吐出温度センサ１と、検知された吐出温度に応じてＯＮ−ＯＦＦされるクランクケースヒータ５とを備え、クランクケースヒータ５を圧縮機３の底面３ａに取り付けたもので、圧縮機３への冷媒寝込みを抑制し、クランクケースヒータ５と圧縮機３の接触面積が従来より大きくなり、伝熱効率が向上するので、その分クランクケースヒータ５の容量を小さくでき、消費電力量を抑え、省エネ効果を得ることができ、また、クランクケースヒータ５の部分にごみやほこりが積もらないため、例えば、クランクケースヒータ５がＯＦＦできないまま運転されても、不具合を回避することができる。【選択図】図１
2006125711.tif 000002
【特許請求の範囲】
【請求項１】
圧縮機と、前記圧縮機の吐出管に取り付けられ冷媒の吐出温度を検知する吐出温度センサと、前記吐出温度センサで検知された吐出温度に応じてＯＮ−ＯＦＦされるクランクケースヒータとを備え、前記クランクケースヒータを前記圧縮機の底面に取り付けた空気調和機。
【請求項２】
クランクケースヒータを圧縮機の底面に、着脱自在の取付フックで固定するようにした請求項１に記載の空気調和機。
【発明の詳細な説明】
【技術分野】
【０００１】
本発明は、空気調和機に関し、特に、圧縮機への冷媒寝込みの抑制に関するものである。
【背景技術】
【０００２】
従来の空気調和機は、クランクケースヒータが圧縮機の周囲に巻かれて、露出している（例えば、特許文献１参照）。
【０００３】
図３は、上記特許文献１に記載された従来の空気調和機の圧縮機取り付け部の概略図である。
【０００４】
図３において、１は、圧縮機３の吐出管２に取り付けられ冷媒の吐出温度を検知する吐出温度センサ、４は防音材（蓄熱材）、５は前記圧縮機３への冷媒寝込みを抑制するクランクケースヒータであり、圧縮機３の脚部６は、ボルト７が貫通する防振ゴム９とナット８で固定されている。
【０００５】
図４は、同空気調和機の電気回路図の概略を示すものである。図４において、１０は圧縮機３を駆動する圧縮機運転用リレーであり、通電時の圧縮機３を運転すべくＯＮする常開接点（図示せず）と、非通電時にＯＮする常閉接点１１を有する。５は圧縮機３に巻装されたクランクケースヒータ、１２は圧縮機３の運転を制御する圧縮機制御装置、１４、１５は給電線、１３は、吐出温度センサ１で検知した吐出温度によりクランクケースヒータ５のＯＮ（通電）−ＯＦＦ（非通電）を行うクランクケースヒータ制御装置である。
【０００６】
そして、圧縮機運転用リレー１０には、圧縮機運転用リレー１０の制御を行う圧縮機制御装置１２が接続され、給電線１４、１５の間には、圧縮機運転用リレー１０によって励磁される常閉接点１１とクランクケースヒータ５が直列回路で接続され、前記クランクケースヒータ５には、圧縮機３の吐出温度を検知する吐出温度センサ１によりクランクケースヒータ５のＯＮ−ＯＦＦを行うクランクケースヒータ制御装置１３が接続されている。
【０００７】
以上のように構成されたクランクケースヒータ５の制御装置について以下その動作について説明する。常閉接点１１が閉成されるが、ここで吐出温度センサ１によって検知された吐出温度が所定の温度まで低下している場合のみクランクケースヒータ制御装置１３でクランクケースヒータ５に通電するようにしている。図５は、従来の空気調和機に使用するクランクケースヒータ５の制御手順を示すフロ−チャ−トである。
【特許文献１】特開２００２−２７７０７１号公報
【発明の開示】
【発明が解決しようとする課題】
【０００８】
しかしながら、前記従来の空気調和機の構成では、クランクケースヒータ５が圧縮機３の回りに露出して巻かれているため、クランクケースヒータ５と圧縮機３の接触面積が小さく伝熱効率が悪く、また、ごみやほこりがクランクケースヒータ５に積もって、電気回路等の故障で、例えばクランクケースヒータがＯＦＦできない状態で運転されるという課題を有していた。
【０００９】
本発明は、前記従来の課題を解決するもので、クランクケースヒータによる消費電力量を抑え、省エネ効果を得ると共に、電気回路の故障で運転されても不具合を回避することができる空気調和機を提供することを目的とする。
【課題を解決するための手段】
【００１０】
前記従来の課題を解決するために、本発明の空気調和機は、圧縮機と、前記圧縮機の吐出管に取り付けられ冷媒の吐出温度を検知する吐出温度センサと、前記吐出温度センサで検知された吐出温度に応じてＯＮ−ＯＦＦされるクランクケースヒータとを備え、前記クランクケースヒータを前記圧縮機の底面に取り付けたもので、圧縮機への冷媒寝込みを抑制し、クランクケースヒータと圧縮機の接触面積が従来より大きくなり、伝熱効率が向上するので、その分クランクケースヒータの容量を小さくでき、消費電力量を抑え、省エネ効果を得ることができ、また、クランクケースヒータの部分にごみやほこりが積もらないため、電気回路の故障で運転したとき（例えば、クランクケースヒータがＯＦＦできない場合など）に、不具合を回避することができる。
【発明の効果】
【００１１】
本発明の空気調和機は、消費電力量を削減し、電気回路の故障で運転されても不具合を回避することができる。
【発明を実施するための最良の形態】
【００１２】
第１の発明は、圧縮機と、前記圧縮機の吐出管に取り付けられ冷媒の吐出温度を検知する吐出温度センサと、前記吐出温度センサで検知された吐出温度に応じてＯＮ−ＯＦＦされるクランクケースヒータとを備え、前記クランクケースヒータを前記圧縮機の底面に取り付けたもので、圧縮機への冷媒寝込みを抑制し、クランクケースヒータと圧縮機の接触面積が従来より大きくなり、伝熱効率が向上するので、その分クランクケースヒータの容量を小さくでき、消費電力量を抑え、省エネ効果を得ることができ、また、クランクケースヒータの部分にごみやほこりが積もらないため、電気回路の故障で運転したとき（例えば、クランクケースヒータがＯＦＦできない場合など）に、不具合を回避することができる。
【００１３】
第２の発明は、特に、第１の発明のクランクケースヒータを圧縮機の底面に、着脱自在の取付フックで固定するようにしたもので、クランクケースヒータの脱着が容易になり、組立性およびメンテナンス性の向上が図れる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機の圧縮機取り付け部の概略図である。なお、前記従来例と同一部分については、同一符号を付してその説明を省略する。
【００１６】
本実施の形態は、図１に示すように、クランクケースヒータ５を、圧縮機３の底面３ａを被うように圧縮機３の脚部６と防振ゴム９の間に取り付けたもので、他の構成は上記従来例と同一である。
【００１７】
上記構成により、圧縮機３への冷媒寝込みを抑制し、クランクケースヒータ５と圧縮機３の接触面積が従来より大きくなり、伝熱効率が向上するので、その分クランクケースヒータ５の容量を小さくできるため、消費電力量を削減することができる。また、クランクケースヒータ５と圧縮機３の間にごみやほこりが積もらないため、電気回路の故障で運転した時（例えば、クランクケースヒータ５がＯＦＦできない場合）に、不具合を回避することができる。
【００１８】
（実施の形態２）
図２は、本発明の第２の実施の形態における空気調和機の圧縮機取り付け部の概略図である。なお、上記第１の実施の形態並びに従来例と同一部分については、同一符号を付してその説明を省略する。
【００１９】
本実施の形態は、図２に示すように、クランクケースヒータ５を、圧縮機３の底面３ａを被うように圧縮機３の脚部６に、複数の取付フック５ａで固定したものである。
【００２０】
以上のように、本実施の形態によれば、圧縮機３への冷媒寝込みが抑制されると共に、クランクケースヒータ５と圧縮機３との接触面積が従来より大きくなり、伝熱効率が向上し、その分クランクケースヒータ５の容量を小さくできるため、消費電力量を削減することができる。また、クランクケースヒータ５と圧縮機３の間にごみやほこりが積もらないため、電気回路の故障で運転したとき（例えば、クランクケースヒータがＯＦＦできない場合）にごみやほこりなどによる不具合を回避することができる。さらに、クランクケースヒータ５の脱着が容易なため、組立性およびメンテナンス性の向上が図れるものである。
【産業上の利用可能性】
【００２１】
以上のように、本発明にかかる空気調和機は、冷房・暖房寝込み運転時の消費電力量を削減することができるもので、セパレ−ト式空気調和機で、特にインバ−タ機、一定速機等の用途にも適用できる。
【図面の簡単な説明】
【００２２】
【図１】（ａ）本発明の実施の形態１における空気調和機の圧縮機取り付け部の概略図（ｂ）図１（ａ）のＡ方向から見た概略図（圧縮機の裏面図）
【図２】（ａ）本発明の実施の形態２における空気調和機の圧縮機取り付け部の概略図（ｂ）図１（ａ）のＡ方向から見た概略図（圧縮機の裏面図）
【図３】従来の空気調和機の圧縮機取り付け部の概略図
【図４】同空気調和機の電気回路図
【図５】同空気調和機の制御の流れを示すフロ−チャ−ト
【符号の説明】
【００２３】
１  吐出温度センサ
２  吐出管
３  圧縮機
３ａ  圧縮機の底面
５  クランクケースヒータ
５ａ  取付フック
【図１】
2006125711.tif 000003
【図２】
2006125711.tif 000004
【図３】
2006125711.tif 000005
【図４】
2006125711.tif 000006
【図５】
2006125711.tif 000007